(57)【要約】【課題】  クロストークに起因する信号の変化を補正し、その補正の精度を向上させることにより放射線の検出の正確性を向上する技術を提供する。【解決手段】  第１スイッチ素子を含む第１検出用画素及び第２スイッチ素子を含み第１検出用画素とは放射線を検出する感度が異なる第２検出用画素と、導通状態の第１スイッチ素子を介して信号が出力される第１信号線及び導通状態の第２スイッチ素子を介して信号が出力される第２信号線と、放射線撮像装置に放射線が照射されている期間に、第１及び第２スイッチ素子を導通しない状態で第１及び第２信号線に現れる第１及び第２信号を読み出す第１動作と、第１及び第２スイッチ素子が導通することによって第１及び第２信号線に現れる第３及び第４信号を読み出す第２動作と、を行う読出し回路と、第１乃至第４信号に基づいて放射線照射に関する情報を生成する処理を行う情報処理回路と、を含む。【選択図】  図１０
2018117248.tif 000002
【特許請求の範囲】
【請求項１】
撮像領域にアレイ状に配置され放射線画像を取得するための複数の画素と、
放射線の照射の開始、放射線の照射の終了、放射線の照射強度、及び、放射線の照射量のうち少なくとも１つを含む、前記撮像領域に対する放射線の照射に関する情報を取得するために、第１のスイッチ素子を含む第１の検出用画素、及び、第２のスイッチ素子を含み前記第１の検出用画素とは放射線を検出する感度が異なる第２の検出用画素と、
前記撮像領域又は前記撮像領域に隣接し配され、導通状態の前記第１のスイッチ素子を介して前記第１の検出用画素から信号が出力される第１の信号線、及び、導通状態の前記第２のスイッチ素子を介して前記第２の検出用画素から信号が出力される第２の信号線と、
前記放射線撮像装置に前記放射線が照射されている期間に、前記第１及び第２のスイッチ素子を導通しない状態で前記第１及び第２の信号線に現れる第１及び第２の信号を読み出す第１動作と、前記第１及び第２のスイッチ素子が導通することによって前記第１及び第２の信号線に現れる第３及び第４の信号を読み出す第２動作と、を行う読出し回路と、
前記第１乃至第４の信号に基づいて前記情報を生成する処理を行う情報処理回路と、
を含むことを特徴とする放射線撮像装置。
【請求項２】
前記情報処理回路は、前記第１、第２、及び第４の信号に基づいて前記第３の信号を補正して、前記情報を生成することを特徴とする請求項１に記載の放射線撮像装置。
【請求項３】
前記情報処理回路は、前記第１の信号と前記第２の信号の比率を算出し、前記第４の信号を前記比率に基づいて補正し、前記第３の信号と補正された前記第４の信号とを差分処理することにより、前記第３の信号を補正して、前記情報を生成することを特徴とする請求項２に記載の放射線撮像装置。
【請求項４】
前記情報処理回路は、前記第１の信号と前記第２の信号の差分を算出し、前記第４の信号を前記差分に基づいて補正し、前記第３の信号と補正された前記第４の信号とを差分処理することにより、前記第３の信号を補正して、前記情報を生成することを特徴とする請求項２に記載の放射線撮像装置。
【請求項５】
前記第１の検出用画素及び第２の検出用画素が前記撮像領域に配置されており、
前記第２の検出用画素は、前記第１の検出用画素よりも放射線を検出する感度が低い、ことを特徴とする請求項１乃至４のいずれか１項に記載の放射線撮像装置。
【請求項６】
前記第１の検出用画素及び前記第２の検出用画素は夫々、放射線を電気信号に変換する変換素子を含み、
前記放射線撮像装置は、放射線を光に変換するシンチレータを備え、前記変換素子は、該光を電気信号に変換する光電変換素子を含み、
前記第２の検出用画素は、前記シンチレータと前記変換素子との間に該光を遮蔽する遮蔽部材を含むことを特徴とする請求項１乃至５の何れか１項に記載の放射線撮像装置。
【請求項７】
前記第１の検出用画素の前記変換素子と前記第２の検出用画素の前記変換素子とが同一の構造を有することを特徴とする請求項１乃至６の何れか１項に記載の放射線撮像装置。
【請求項８】
前記第１のスイッチ素子と前記第２のスイッチ素子とが同一の構造を有することを特徴とする請求項１乃至７のいずれか１項に記載の放射線撮像装置。
【請求項９】
前記第１の信号線に接続される前記第１の検出用画素の数と前記第２の信号線に接続される前記第２の検出用画素の数とが同じであることを特徴とする請求項１乃至８の何れか１項に記載の放射線撮像装置。
【請求項１０】
前記第１の信号線及び前記第２の信号線は、前記撮像領域に対する平面視において前記複数の画素、前記第１の検出用画素及び前記第２の検出用画素と重なる領域を有し、
前記第１の信号線と重なる前記複数の画素、前記第１の検出用画素及び前記第２の検出用画素の数の総和と、前記第２の信号線と重なる前記複数の画素、前記第１の検出用画素及び前記第２の検出用画素の数の総和とが同じことを特徴とする請求項１乃至９の何れか１項に記載の放射線撮像装置。
【請求項１１】
前記放射線撮像装置は、前記複数の画素から信号が出力される複数の画像信号線を備え、
前記複数の画像信号線うち何れかの画像信号線が、前記第１の信号線又は前記第２の信号線として兼用されていることを特徴とする請求項１乃至１０の何れか１項に記載の放射線撮像装置。
【請求項１２】
前記放射線撮像装置は、前記複数の画素から信号が出力される複数の画像信号線を備えることを特徴とする請求項１乃至１０の何れか１項に記載の放射線撮像装置。
【請求項１３】
前記情報処理回路は、前記放射線の照射に関する情報を用いて、放射線源の制御を行うことを特徴とする請求項１乃至１２の何れか１項に記載の放射線撮像装置。
【請求項１４】
請求項１乃至１３の何れか１項に記載の放射線撮像装置と、
前記放射線撮像装置からの信号を処理する信号処理部と、を備えることを特徴とする放射線撮像システム。
【請求項１５】
放射線を発生する放射線源を更に含み、
前記情報処理回路は、前記情報に基づいて前記放射線源の制御を行うことを特徴とする請求項１４に記載の放射線撮像システム。
【発明の詳細な説明】
【技術分野】
【０００１】
本発明は、放射線撮像装置及び放射線撮像システムに関する。
【背景技術】
【０００２】
放射線を電荷に変換する変換素子と薄膜トランジスタ（ＴＦＴ）などのスイッチ素子とを組み合わせた画素が２次元アレイ状に配列された放射線撮像装置が、広く利用されている。近年、こうした放射線撮像装置の多機能化が検討され、その１つとして自動露出制御（ＡＥＣ）機能の内蔵が検討されている。ＡＥＣ機能は、放射線源が放射線を照射している間、放射線撮像装置が照射情報を取得する手段として利用される。
【０００３】
特許文献１には、撮像領域にアレイ状に配置され放射線画像を取得するための複数の画素を含む放射線撮像装置が開示されている。また、特許文献１の放射線撮像装置は、撮像領域又は撮像領域に隣接し配され放射線の照射に関する情報を取得するために放射線を電気信号に変換するための変換素子を含む検出用画素を含む。更に、特許文献１の放射線撮像装置は、検出用画素から信号が出力される検出信号線と、検出用画素から検出信号線を介して出力される信号を処理する信号処理回路と、を含む。検出用画素及び検出信号線は、放射線の照射の開始、照射の終了、累計の放射線の照射量といった、放射線の照射に関する情報の検出に利用される。このような放射線撮像装置において、放射線画像を取得するための画素の電極と検出信号線との間に無視できない寄生容量が存在する。この寄生容量を介して、放射線照射によって生じる放射線画像を取得するための画素の電極の電位変動により、クロストークが発生し得る。検出信号線に流れる信号には、放射線画像を取得するための画素からの信号の成分と、クロストークによって発生した成分とが含まれる。このクロストークの成分によって、放射線照射中に放射線検出用画素からの信号を正確に取得することが難しい。そこで、特許文献１の放射線撮像装置は、検出用画素とは放射線を検出する感度が異なる補正用画素と、撮像領域又は撮像領域に隣接し配され補正用画素から信号が出力される補正信号線と、を更に含む。そして、特許文献１の放射線検出装置では、信号処理回路は、検出信号線からの信号と補正信号線からの信号とに基づいて、クロストークによる影響が低減するように補正された放射線の照射に関する情報を生成する。
【先行技術文献】
【特許文献】
【０００４】
【特許文献１】特開２０１６−２２０１１６号公報
【発明の概要】
【発明が解決しようとする課題】
【０００５】
しかしながら、特許文献１の放射線撮像装置で得られた放射線の照射に関する情報は、補正の精度に課題を残す。検出信号線に係る複数の画素の寄生容量と、補正信号線に係る複数の画素の寄生容量と、に相違があると、検出信号線の信号に重畳するクロストークと補正信号線の信号に重畳するクロストークとに相違が生じる。これは、補正信号線には補正用画素が接続されることにより、補正信号線に係る複数の画素の個数が検出信号線に係る複数の画素の個数と相違し得ることに起因する。この相違の影響を低減することが、補正の精度向上に必要となる。また、撮影毎に照射放射線の強度の面内分布が異なるが、照射放射線の強度が高い領域における、検出用画素の個数と感度が異なる補正用画素の個数に依存して、各配線で発生するクロストークも異なる場合がある。そのため、撮影毎に発生するクロストークの相違の影響を低減することが、補正の精度向上に必要となる。
【０００６】
本発明は、クロストークに起因する信号の変化を補正し、その補正の精度を向上させることにより放射線の検出の正確性を向上する技術を提供することを目的とする。
【課題を解決するための手段】
【０００７】
上記課題に鑑みて、本発明の実施形態に係る放射線撮像装置は、撮像領域にアレイ状に配置され放射線画像を取得するための複数の画素と、放射線の照射の開始、放射線の照射の終了、放射線の照射強度、及び、放射線の照射量のうち少なくとも１つを含む、前記撮像領域に対する放射線の照射に関する情報を取得するために、第１のスイッチ素子を含む第１の検出用画素、及び、第２のスイッチ素子を含み前記第１の検出用画素とは放射線を検出する感度が異なる第２の検出用画素と、前記撮像領域又は前記撮像領域に隣接し配され、導通状態の前記第１のスイッチ素子を介して前記第１の検出用画素から信号が出力される第１の信号線、及び、導通状態の前記第２のスイッチ素子を介して前記第２の検出用画素から信号が出力される第２の信号線と、前記放射線撮像装置に前記放射線が照射されている期間に、前記第１及び第２のスイッチ素子を導通しない状態で前記第１及び第２の信号線に現れる第１及び第２の信号を読み出す第１動作と、前記第１及び第２のスイッチ素子が導通することによって前記第１及び第２の信号線に現れる第３及び第４の信号を読み出す第２動作と、を行う読出し回路と、前記第１乃至第４の信号に基づいて前記情報を生成する処理を行う情報処理回路と、を含む装置ことを特徴とする。
【発明の効果】
【０００８】
上記手段により、クロストークに起因する信号の変化に対する補正の精度を向上し、放射線の検出の正確性を向上する技術が提供される。
【図面の簡単な説明】
【０００９】
【図１】本発明の実施形態に係る放射線撮像装置の回路構成を示す等価回路図。
【図２】図１の放射線撮像装置の回路構成の変形例を示す等価回路図。
【図３】図１の放射線撮像装置の画素、検出用画素、補正用画素の平面図。
【図４】図１の放射線撮像装置の画素の断面図。
【図５】図１の放射線撮像装置の回路構成の変形例を示す等価回路図。
【図６】図５の放射線撮像装置の画素の平面図。
【図７】図１の放射線撮像装置の概略レイアウト図。
【図８】図７の放射線撮像装置の概略レイアウト図の変形例を示す図。
【図９】図１の放射線撮像装置の動作のフローチャートを示す図。
【図１０】本発明の放射線撮像装置の動作を説明するためのタイミングチャート。
【図１１】本発明の放射線撮像装置の動作を説明するためのタイミングチャート。
【図１２】本発明の放射線撮像装置の動作を説明するためのタイミングチャート。
【図１３】放射線撮像装置を用いた放射線撮像システムの構成例を説明する図。
【発明を実施するための形態】
【００１０】
以下、本発明に係る放射線撮像装置の具体的な実施形態を、添付図面を参照して説明する。なお、以下の説明及び図面において、複数の図面に渡って共通の構成については共通の符号を付している。そのため、複数の図面を相互に参照して共通する構成を説明し、共通の符号を付した構成については適宜説明を省略する。なお、本発明における放射線には、放射線崩壊によって放出される粒子（光子を含む）の作るビームであるα線、β線、γ線などの他に、同程度以上のエネルギーを有するビーム、例えばＸ線や粒子線、宇宙線なども含みうる。
【００１１】
図１〜９を参照して、第１の実施形態による放射線撮像装置について説明する。図１は、本実施形態における放射線撮像装置１００の回路構成を示す等価回路図である。本実施形態における放射線撮像装置１００は、基板上に複数の画素がアレイ状に配された撮像領域と、各画素の制御や各画素から出力された電気信号を処理するための周辺領域とを含む。
【００１２】
周辺領域は、各画素を駆動、制御するための電源回路１５０及び駆動回路１６０と、各画素から出力された電気信号を処理するための読出し回路１７０及び情報処理回路１８０を含む信号処理回路１７１とを含むが、これに限られるものではない。例えば読出し回路１７０と情報処理回路１８０とは、一体で構成されていてもよい。また、放射線撮像装置１００の周辺領域は、信号処理部１７１を制御するための制御回路１４０を更に含む。
【００１３】
撮像領域には、放射線画像を取得するため複数の画素と、放射線の照射の検出や照射情報を取得するための複数の検出用画素とを含む。本実施形態において、画素は、画素内の配線の配置によって画素１０２と、検出用画素で得られた電気信号を信号処理回路１７１に転送する信号線が画素内を通過する画素１１０とを含む。また検出用画素は、互いに異なる信号線によって信号処理回路に電気信号を出力する第１の検出用画素である検出用画素１０１と、第２の検出用画素である補正用画素１０８とを含む。検出用画素１０１及び補正用画素１０８は、放射線が照射される際、放射線画像とは別の、放射線の照射の開始や放射線の照射の終了、また放射線の照射強度や放射線の照射量などの放射線の照射に関する情報である放射線照射情報を取得するために使用される。このような検出用画素１０１及び補正用画素１０８を配置することによって、自動露出制御（ＡＥＣ）機能を、放射線撮像装置１００に内蔵することが可能となる。図１には、撮像領域に５行５列の画素が設けられているが、これらは放射線撮像装置１００のうち一部の撮像領域を表した等価回路である。
【００１４】
撮像領域には、このような検出用画素１０１及び補正用画素１０８の配された画素エリアが、１つだけ配置されてもよいし、また複数、配置されてもよい。放射線撮像装置１００において、検出用画素１０１や補正用画素１０８の配置された画素エリアが、例えば３×３や５×５のマトリックス状に配置される。これによって、放射線撮像装置１００の各画素エリアに照射される放射線の照射情報を、画素エリアごとに個別に検出することが可能となる。複数の画素エリアを有する撮像領域については、図８、９を用いて後述する。
【００１５】
放射線撮像装置１００の撮像領域に配された画素１０２、１１０は、電源回路１５０から電源配線１１４を介して電源が供給され、駆動回路１６０から画像制御配線１１３を介して制御される。また画素１０２、１１０から出力される電気信号は、画像信号線１１２によって信号処理回路１７１に転送される。これによって放射線画像の取得が可能となる。また検出用画素１０１及び補正用画素１０８は、電源回路１５０から電源配線１１４を介して電源が供給され、駆動回路１６０から検出制御配線１１６を介して制御される。検出用画素１０１から出力される電気信号は、第１の信号線である検出信号線１０４によって信号処理回路１７１に転送される。また補正用画素１０８から出力される電気信号は、第２の信号線である補正信号線１０３によって信号処理回路１７１に転送される。検出用画素１０１、補正用画素１０８を用いて放射線の照射情報を取得することによって、検出用画素１０１、補正用画素１０８の配置された領域の放射線量などの照射情報を取得することが可能となる。本実施形態において、検出信号線１０４及び補正信号線１０３は撮像領域内に配される。検出信号線１０４及び補正信号線１０３は、撮像領域の外縁部に隣接して配されてもよい。また、検出信号線１０４及び補正信号線１０３は、複数の画像信号線１１２のうちの一部の画像信号線１１２と同一であってもよい。また、検出制御用配線１１６は、画像制御配線１１３のうちの一部の画像制御配線１１３と同一であってもよい。ここで、読出し回路１７０は、検出信号線１０４及び補正信号線１０３をリセットするためにそれぞれに接続されたリセットスイッチＲを含む。また、読出し回路１７０は、検出信号線１０４を介して検出用画素１０１から出力される電気信号を、読出し回路１７０が読み出すためにサンプルホールドするためのサンプルホールド回路Ｓ／Ｈを含む。また、読出し回路１７０は、補正信号線１０３を介して補正用画素１０８から出力される電気信号を、読出し回路１７０が読み出すためにサンプルホールドするためのサンプルホールド回路Ｓ／Ｈを含む。制御回路１４０は、リセットスイッチＲを制御するための制御信号ΦＲをリセットスイッチＲに供給する。また、制御回路１４０は、各サンプルホールド回路Ｓ／Ｈを制御するための制御信号ΦＳ／Ｈを各サンプルホールド回路Ｓ／Ｈに供給する。
【００１６】
放射線撮像装置１００において、放射線は検出用画素１０１や補正用画素１０８以外の部位にも照射される。放射線が照射されると画素１０２、１１０においても、照射される放射線の量に応じた電荷が発生し蓄積される。このとき検出信号線１０４の通過する画素１１０において、この蓄積された電荷は、放射線を電荷に変換する画素１１０の変換素子の電極と検出信号線１０４との間に存在する寄生容量を介し、電荷保存則に基づき検出信号線１０４に転送される。この結果、検出信号線１０４から読み出される電気信号である電荷量は、検出用画素１０１からの電荷と、検出信号線１０４と画素１１０の変換素子との間の容量を介して画素１１０から転送される電荷との２つの成分を含んでしまう。このことから、例えば放射線の照射面積が広くなり、放射線の照射される画素１１０の数が多くなると、画素１１０から検出信号線１０４に転送される電荷量が多くなる。また例えば、放射線の照射面積が狭くなり、放射線の照射によって電荷を多く蓄積した画素１１０が少なくなると、画素１１０から検出信号線１０４に転送される電荷量が少なくなる。
【００１７】
この検出信号線１０４と通過する画素１１０との容量を介した電荷の転送を補正し、検出用画素１０１に照射された放射線の量に対応した電気信号を読出し回路１７０が正しく読み出すために、補正信号線１０３が用いられる。例えば、補正信号線１０３と検出信号線１０４との形状や通過する画素１１０の数が同等の場合、画素１１０と補正信号線１０３又は検出信号線１０４との間に存在する寄生容量は、ほぼ等しくなる。この結果、画素１１０から補正信号線１０３及び検出信号線１０４に転送される電荷の量は、ほぼ等しくなる。検出信号線１０４によって取得された電気信号の値である電荷量から、補正信号線１０３からの電気信号の値である電荷量を減算する。この減算（差分処理）で、検出用画素１０１で変換された電荷量と同等の電荷量を、検出用画素１０１の信号の情報として生成し、取得することができる。ここで減算の方法は、さまざまの方法を用いることが可能である。例えばアナログ減算を用いてもよいし、デジタル減算を用いてもよい。また例えば相関二重サンプリング（ＣＤＳ）回路を用いてもよい。
【００１８】
しかしながら、例えば撮像領域の周辺に配置された信号処理回路１７１などが、信号処理に際して発熱する。局所的な発熱によって、画素１０２、１１０や検出用画素１０１が配置された撮像領域は、温度やその温度分布は一様ではなく変化する可能性がある。画素１０２、１１０及び検出用画素１０１内に配置される変換素子やスイッチ素子である薄膜トランジスタ（ＴＦＴ）は、温度が変化すると変換素子のダーク電流やＴＦＴのオフセットレベルなどの特性が変化してしまう場合がある。放射線を検出する際、検出用画素１０１はオン動作し、画素１０２、１１０のＴＦＴはオフとなる。このとき補正信号線１０３と検出信号線１０４との間の電気信号の差分には、入射する放射線に起因する成分だけでなく、オン動作する検出用画素１０１のオフセットレベルやダーク電流などの特性の変動成分が重畳される。検出用画素１０１のダーク電流やオフセットレベルの特性が変化すると、差分によって取得される電気信号の値も変化する。例えば、温度上昇によって検出用画素１０１のオフセットレベルが増大した場合、放射線の照射がない場合でも、抽出された電気信号が放射線を検出するための閾値を越えてしまう可能性がある。この場合、放射線の照射がなくても、放射線が照射されたと認識してしまう。
【００１９】
これに対して、本実施形態において検出信号線１０４に接続されている検出用画素１０１と同一の変換素子の構造や同一のＴＦＴの構造を有し、補正信号線１０３に接続される補正用画素１０８を、放射線撮像装置１００の撮像領域に配置する。補正用画素１０８は、検出用画素１０１と同時にオン動作するとよい。図１において、補正用画素１０８と検出用画素１０１とは、同じ検出制御配線１１６を介して制御され、駆動信号ΦＶｄにより同時にオン動作する。また、補正用画素１０８は、検出用画素１０１の近傍に配置されるとよい。撮像領域の検出用画素１０１の周囲の温度や温度分布が変化し、画素１０２、１１０や検出用画素１０１においてダーク電流やオフセットレベルなどの特性が変化する。しかし近傍に配置した同等の温度特性を有する補正用画素１０８を配することによって、検出用画素１０１のダーク電流やオフセットレベルなどの特性が変動した場合でも、ダーク電流やオフセットレベルなどを減算することができる。結果として、検出用画素１０１に照射される放射線の照射に関する情報を精度よく生成し、取得することが可能となる。
【００２０】
しかし、補正用画素１０８と検出用画素１０１とは、先述したように同一の構造の変換素子やＴＦＴを有するため、補正用画素１０８と検出用画素１０１とで入射する放射線の量に対して出力される電気信号である電荷量の差が小さい。補正用画素１０８と検出用画素１０１とからの出力の差が小さい場合、検出信号線１０４と補正信号線１０３との電荷量の差分を求めるだけで、検出用画素１０１の信号の情報を取得することは難しい。放射線の照射に関する情報を生成するため、検出用画素１０１と補正用画素１０８とは、同一の変換素子の構造や同一のＴＦＴの構造を有しながら、入射する放射線に対して異なる電気信号を出力する必要がある。異なる電気信号を出力するために、入射する放射線を電気信号に変換する感度が、検出用画素１０１と補正用画素１０８とで異なるとよい。本実施形態において、検出用画素１０１と補正用画素１０８とで、放射線を検出するための領域の大きさが異なり、検出用画素１０１の方が、補正用画素１０８よりも放射線を検出する領域が大きくなるように形成される。例えば放射線を直接、電気信号に変換する放射線撮像装置の場合、放射線を遮る遮蔽部材として、例えば鉛などの重金属を用いた遮蔽部材を補正用画素１０８の変換素子の上に設けてもよい。またシンチレータを用いて放射線を光に変換し、この光を電気信号に変換する間接型の放射線撮像装置の場合、光を遮る遮蔽部材として例えばアルミニウムの遮蔽膜などを補正用画素１０８の変換素子とシンチレータとの間に設けてもよい。何れの変換型の放射線撮像装置であっても、遮蔽部材が、撮像領域に対する平面視において、補正用画素１０８の変換素子の少なくとも一部と重なる領域に配されるとよい。この結果、検出用画素１０１よりも、補正用画素１０８の放射線を電気信号に変換する感度が低いこととなる。これによって、画素１１０と検出用画素１０１との間の寄生容量だけでなく、動作温度が変化し各素子の特性が変動した場合でも、放射線の照射に関する情報を検出信号線１０４と補正信号線１０３とから得られる電気信号の減算によって、より正確に生成できる。
【００２１】
例えば、シンチレータを用いた間接型の放射線撮像装置の場合、補正用画素１０８は、検出用画素１０１と大きさや変換素子、ＴＦＴの構造を同一とし、変換素子よりも放射線が入射する側に光を遮る例えばアルミニウムやクロムなどを用いた遮蔽部材を形成する。遮蔽部材は、例えばシンチレータと変換素子との間に配置すればよい。また、例えば補正用画素１０８の全体を遮蔽膜で覆い、検出する光をほぼゼロとし、変換素子のダーク電流や、ＴＦＴ部分のオフセットレベルなどを取得し、この値を用いて検出用画素１０１の補正を行ってもよい。
【００２２】
検出用画素１０１と補正用画素１０８とは、互いに隣接していてもよい。また検出用画素１０１と補正用画素１０８との間に画素１０２を数列、例えば図１に示すように２列配置してもよい。これは、検出用画素１０１と補正用画素１０８とを互いに隣接して配置した場合、間に検出用画素１０１と補正用画素１０８とが配される画素１０２同士の間隔が広くなる。検出用画素１０１と補正用画素１０８との間に画素１０２を挿入することによって、画素の欠落する検出用画素１０１及び補正用画素１０８の部分の画像の補正が容易となる。放射線撮像装置１００に用いる画素の各辺のサイズは、例えば５０μｍ〜５００μｍ程度と小さい。間に２つの画素１０２が配された場合でも、検出用画素１０１と補正用画素１０８との相対距離は１５０μｍ〜１．５ｍｍ程度と近い距離にあり、検出用画素１０１と補正用画素１０８との温度環境は同等とみなすことができる。検出用画素１０１と補正用画素１０８との間に数列の画素１０２を配した場合でも、精度の良く放射線の照射に関する情報を生成し、取得することができる。ただし、検出信号線１０４に係る複数の画素１０２の寄生容量と、補正信号線１０３に係る複数の画素１０２の寄生容量と、に相違があると、検出信号線１０４の信号に重畳するクロストークと第２の信号線の信号に重畳するクロストークとに相違が生じる。これは、補正信号線１０３には補正用画素１０８が接続されることにより、補正信号線１０３に係る複数の画素１０２の個数が検出信号線１０４に係る複数の画素の個数と相違し得ることに起因する。この相違の影響を低減することが、補正の精度向上に必要となる。また、撮影毎に照射放射線の強度に面内分布が異なるが、照射放射線の強度が高い領域における補正用画素１０８の個数により発生するクロストークも異なる場合がある。例えば、補正信号線１０３に係る遮光されている補正用画素が、照射放射線の強度が高い領域に存在する場合、各配線に係る電極が電位変動を起こす画素の個数が、補正信号線１０３と検出信号線１０４で異なる。この結果、補正信号線１０３と検出信号線１０４で発生するクロストークが異なってしまう。そのため、撮影毎に発生するクロストークの相違の影響を低減することが、補正の精度向上に必要となる。
【００２３】
図２は、本実施形態における放射線撮像装置１００の回路構成を示す等価回路図で、図１に示した回路構成の変形例を示したものである。図１に示した等価回路図と異なる点は、検出用画素１０１と補正用画素１０８とを制御する検出制御配線１１６を、画素１０２、１１０を制御する駆動回路１６０とは別に設けたＡＥＣ制御回路１９０を用いて駆動信号ΦＶｄを供給することにより制御することである。これ以外の点は、図１に示した等価回路図と同じ回路構成であってよい。これによって、駆動回路１６０が、図１に示した放射線撮像装置１００の駆動回路１６０と比較して複雑な動作を必要としなくなり、駆動回路の設計が容易となる。例えば放射線が照射され、検出用画素１０１及び補正用画素１０８で放射線の照射情報を読み取るまでの期間は、ＡＥＣ制御回路１９０を駆動させる。次いで、画素１０２、１１０から放射線画像を取得するための信号を読出し回路１７０が読み出す際は、ＡＥＣ制御回路１９０を停止し、駆動回路１６０を駆動させて行ごとに順次、信号を読み出してもよい。また検出用画素１０１及び補正用画素１０８と、画素１０２、１１０とに対して別々に周辺領域の回路を動作させるのは、ＡＥＣ制御回路１９０に限定されるものではない。例えば信号処理回路１７１の読出し回路１７０において、検出信号線１０４や補正信号線１０３からの信号と、画素１０２、１１０とは別の読出し回路を設けて処理してもよい。
【００２４】
図３に、画素１０２、１１０、検出用画素１０１、補正用画素１０８の平面図を示す。図３（ａ）は、画素１０２の平面図を示す。本実施形態において、放射線撮像装置１００は、間接型の放射線撮像装置であり、画素１０２、１１０、検出用画素１０１、補正用画素１０８などの配された撮像領域の上部にシンチレータ（不図示）が配される。画素１０２には、シンチレータで放射線から変換された光を電気信号に変換するための変換素子である光電変換素子１２０が配置される。光電変換素子１２０の下部には、スイッチ素子である薄膜トランジスタ（ＴＦＴ）１１１や各種配線が配置される。光電変換によって光電変換素子１２０で生成された電気信号は、画像制御配線１１３の信号によってＴＦＴ１１１がＯＮ状態となったとき、ＴＦＴ１１１を介して画像信号線１１２に出力される。光電変換素子１２０の上部電極は、一定の電圧を印加するための電源配線１１４と接続される。検出制御配線１１６は、光電変換素子１２０の下部を通過する。図１、２に示されるように、検出制御配線１１６が通過しない画素１０２も存在するが、図３（ａ）には、検出制御配線１１６が通過する画素１０２を図示している。
【００２５】
図３（ｂ）は、画素内に検出信号線１０４又は補正信号線１０３が通過する画素１１０を示す。検出信号線１０４又は補正信号線１０３が通過する以外の点は、画素１０２と同じであってよい。画素１０２、１１０に配される光電変換素子１２０の下部電極は、画素ごとに個別の電極となっている。このため、撮像領域に対する平面視において、画素１１０を通過する検出信号線１０４又は補正信号線１０３と、光電変換素子１２０の下部電極との重なる領域にオーバーラップ面積に応じた容量が形成される。この容量を介して、電荷保存則に基づき、光電変換素子１２０に蓄積された電荷が、検出信号線１０４又は補正信号線１０３に転送される。
【００２６】
図３（ｃ）は、検出用画素１０１を示す。検出用画素１０１は、放射線を電気信号に変換する第１の変換素子に含まれる光電変換素子１１５と、第１の変換素子からの電気信号を検出信号線１０４に出力する第１のスイッチ素子であるＴＦＴ１１９と、を含む。光電変換素子１１５の下部電極がＴＦＴ１１９を介して検出信号線１０４に接続され、検出制御配線１１６の信号によってＴＦＴ１１９がＯＮ状態（導通状態）となったとき、光電変換素子１１５からの電気信号が検出信号線１０４に出力される。放射線が照射された際の照度の測定や、放射線の照射開始・終了の検出など、放射線の照射情報の取得のためにＴＦＴ１１９をＯＮ／ＯＦＦ動作させ、光電変換素子１１５に蓄積された信号を読出し回路１７０が読み出す。
【００２７】
図３（ｄ）は補正用画素１０８を示す。補正用画素１０８は、放射線を電気信号に変換する第２の変換素子に含まれる光電変換素子１２３と、第２の変換素子からの電気信号を補正信号線１０３に出力する第２のスイッチ素子であるＴＦＴ１２４と、を含む。補正用画素１０８は、撮像領域の上部に配されたシンチレータ（不図示）と光電変換素子１２３との間に遮蔽部材１２２を有する。本実施形態において、補正用画素１０８及び補正用画素１０８に配置された光電変換素子１２３は、全体が遮蔽部材１２２に覆われる。遮蔽部材１２２を配することによって、検出用画素１０１の光電変換素子１１５と、補正用画素１０８の光電変換素子１２３との間で、入射した放射線に対する電気信号の出力値に差が生じる。すなわち、補正用画素１０８は、検知用画素１０１と放射線に対する感度が異なり、入射した放射線に対する感度が補正用画素１０８より低いこととなる。これ以外の構造は、図３（ｃ）に示す検出用画素１０１と同様であってよい。光電変換素子１２３の下部電極がＴＦＴ１２４を介して補正信号線１０３に接続され、検出制御配線１１６の信号によってＴＦＴ１２４がＯＮ状態（導通状態）となったとき、光電変換素子１２３からの電気信号が補正信号線１０３に出力される。
【００２８】
上述したように、検出信号線１０４と画素１１０の光電変換素子１２０との間で形成される容量に応じて、光電変換素子１２０で発生した電荷が、検出信号線１０４に出力されてしまう。このような画素１１０は、撮像領域中に多数存在し、画素１１０の光電変換素子１２０と、検出信号線１０４との容量結合によって書き込まれる信号は無視できるレベルではない。例えば、このような画素１１０が数百から数千といった数存在する場合、容量結合による信号の量が、検出用画素１０１からの電気信号の数倍から数十倍といった量になる場合がある。また例えば、光電変換素子１２０が検出信号線１０４とオーバーラップしていない場合であっても、電界の広がりなどの影響で、光電変換素子１２０からの電荷が転送される。そこで、近接する領域に補正信号線１０３を配置し、それぞれの信号の差分を取得することによって、このような光電変換素子１２０から転送される信号を低減し、検出用画素１０１からの信号を読出し回路１７０が読み出すことが可能となる。
【００２９】
図４に、図３（ａ）に示した画素１０２のＡ−Ａ’間の断面図を示す。撮像領域の基板４００の上に各画素や各素子が形成される。本実施形態において、基板４００として絶縁基板を用いる。基板４００として、例えばガラス基板やプラスチック基板を用いてもよい。基板４００の上にスイッチ素子であるＴＦＴ１１１が形成される。本実施形態において逆スタガ型のＴＦＴを用いるが、例えばトップゲート型のＴＦＴを用いてもよい。ＴＦＴ１１１は、ゲート電極４０１、ソース電極４０２、ドレイン電極４０３、絶縁膜４０４を含む。絶縁膜４０４は、ＴＦＴ１１１においてゲート絶縁膜として機能しうる。ＴＦＴ１１１の上には、保護膜４０５及び層間絶縁膜４０６を介して光電変換素子１２０が配置される。光電変換素子１２０は、下部電極４１１と上部電極４１５との間に、第１の不純物半導体層４１２、真性半導体層４１３、第１の不純物半導体層４１２とは逆の導電型の第２の不純物半導体層４１４がこの順番に積層された構造を有する。不純物半導体層４１２と真性半導体層４１３と不純物半導体層４１４とは、ＰＩＮフォトダイオードを構成し、これによって光電変換を行う。本実施形態においてＰＩＮフォトダイオードを光電変換素子に用いるが、例えばＭＩＳ型素子を用いてもよい。また光電変換素子１２０の上には、保護膜４０７及び層間絶縁膜４０８を介して電源配線１１４が配される。画素１０２の上は、保護膜４０９で覆われる。電源配線１１４は、コンタクトプラグを介して光電変換素子１２０の上部電極４１５に接続される。光電変換素子１２０の下部電極４１１は、ＴＦＴ１１１のドレイン電極４０３と接続される。光電変換によって光電変換素子１２０で生成された電荷は、画像制御配線１１３に接続されたゲート電極４０１によってＴＦＴ１１１がＯＮ動作したとき、ソース電極４０２から画像信号線１１２へと出力される。
【００３０】
図５は、本実施形態における放射線撮像装置１００の回路構成を示す等価回路図で、図１、２に示した回路構成の変形例を示したものである。図１、２に示した等価回路図と異なる点は、検出用画素１０１、補正用画素１０８に代えて、検出用画素と画像用の画素と、補正用画素と画像用の画素とを、それぞれ対にした画素１３１、１３２を配したことである。これ以外の点は、図１、２に示した放射線撮像装置１００と同じであってよい。放射線を検出するための変換素子を配置した領域にも画像用の変換素子を配置することによって、画素の欠落を抑制し、画像の補正を容易にすることが可能となる。
【００３１】
図６は、図５に示した画素１３１及び画素１３２の平面図を示す。図６（ａ）に画素１３１の平面図を示す。画素１３１の上側は画素１１０と同等の構成を有し、画素１１０の光電変換素子１２０よりも面積の小さい光電変換素子１２０ａを有する。画素１３１の下側は検出用画素１０１と同等の構成を有し、検出用画素１０１の光電変換素子１１５よりも面積の小さい光電変換素子１１５ａを有する。また図６（ｂ）に画素１３２の平面図を示す。画素１３２の上側は画素１１０と同等の構成を有し、画素１１０の光電変換素子１２０よりも面積の小さい光電変換素子１２０ａを有する。画素１３２の下側は補正用画素１０８と同等の構成を有し、補正用画素１０８の光電変換素子１２３よりも面積の小さい光電変換素子１２３ａを有する。光電変換素子１２０ａの面積は、画素１０２、１１０の光電変換素子１２０の約１／２程度の面積になるが、オフセット補正やゲイン補正などの画像処理によって、画素１０２、１１０と同等の出力を得ることが可能となる。また画素１３２に配置される光電変換素子１２３ａ及びＴＦＴ１２４は、画素１３１に配置される光電変換素子１１５ａ及びＴＦＴ１１９と同一の構造を有してよい。画素１３１及び画素１３２の変換素子やＴＦＴが同一の構造を有することによって、変換素子やＴＦＴから出力される、特に温度によって変化するオフセットレベルやダーク電流を補正することができる。結果として、検出信号線１０４から得られた電気信号の値から、補正信号線１０３から得られた電気信号の値を減算することによって、その差分から検出用画素１０１に照射された放射線の照射に関する情報を精度よく生成し、取得することが可能となる。
【００３２】
図７は、本実施形態における放射線撮像装置１００の概略レイアウト図である。図１、２、５で示した等価回路図は、前述のように放射線撮像装置の一部の領域を表した図である。図７は、放射線撮像装置１００の全体を表した概略レイアウト図で、例えば、図１に示した等価回路を有する画素エリアが、３×３の９領域設けられている。また、各画素エリアに照射された放射線情報を、信号処理回路１７１の読出し回路１７０及び情報処理回路１８０で収集することが可能となる。図１では、１つの画素エリア内に検出用画素１０１と補正用画素１０８とが１つずつ配置された例を示したが、図７では１つの画素エリア内にそれぞれ３つの検出用画素１０１と補正用画素１０８とが配置されている。１つの検出信号線１０４に接続される検出用画素１０１の数と、１つの補正信号線１０３に接続される補正用画素１０８の数とが同じであるとよい。また１つの検出信号線１０４が通過する画素１１０、検出用画素１０１、補正用画素１０８の数の総和と、１つの補正信号線１０３が通過する画素１１０、検出用画素１０１、補正用画素１０８の数の総和とが同じであるとよい。接続される検出用画素１０１や補正用画素１０８の数、通過する画素１１０、検出用画素１０１、補正用画素１０８の数を同等にすることによって、検出用画素１０１に照射された放射線の照射に関する情報を精度よく取得することが可能となる。また例えば画素エリアＥのように、検出用画素１０１及び補正用画素１０８は、撮像領域の外縁部から離れ、撮像領域の中心部に配置されてもよい。検出用画素１０１及び補正用画素１０８の配置は、撮像対象となる被検体の大きさや配置によって、適宜決めることができる。
【００３３】
各画素エリアの３つの検出用画素１０１は、共通の検出信号線１０４に接続されており、３つの補正用画素１０８は共通の補正信号線１０３に接続されている。また検出信号線１０４と補正信号線１０３とが、異なる画素エリア同士で共用しないように列をずらして配置されている。このような構成にすることで、例えば検出制御配線１１６を駆動させ、検出用画素１０１と補正用画素１０８とからの信号を信号処理回路１７１へ転送させる際、全ての検出制御配線１１６を同時に動作させることが可能となる。同時に動作させることによって、走査しながら読み出した場合と比較して、放射線の照射情報を取得するための信号を読出し回路１７０が読み出す間隔を短くすることが可能となり、読み出しの速度が向上する。また読み出し速度の向上が必要ない場合は、例えば図に示す上下方向の画素エリア間で検出信号線１０４と補正信号線１０３を共通化し、検出制御配線１１６を個別に駆動させる。これによって、読出し回路１７０の処理回路を簡素化でき、更に読出し回路１７０と接続する端子数を減らすことができる。
【００３４】
図８は、本実施形態における放射線撮像装置１００の概略レイアウト図で、図７に示した概略レイアウト図の変形例を示したものである。図７に示したレイアウトと異なる点は、検出制御配線１１６を駆動回路１６０に接続する手前で画素エリアごとに束ねている点である。このような構成にすることによって、駆動回路１６０を簡素化でき、駆動回路１６０と接続する端子数を減らすことができる。
【００３５】
図９は、本実施形態における放射線撮像装置１００が、放射線照射を検出し照射強度を判定し照射停止時間を出力するまでのフローチャートを示した図である。ステップ９０１において、放射線撮像装置１００は、待機状態を維持する。放射線の照射が開始されると、ステップ９０２に進む。ステップ９０２では、検出信号線１０４及び補正信号線１０３によって転送される電気信号をサンプリングし、ステップ９０３において差分を抽出する。ステップ９０４では、信号処理回路１７１は、差分に基づいて放射線の照射量が安定したか否かを判定し、安定していないと判断した場合はステップ９０２に戻り、安定したと判断した場合はステップ９０５に進む。ステップ９０５では、信号処理回路１７１は、差分に基づいて放射線の照射を停止させるべき時刻（照射停止時間）を算出する。算出された照射停止時間は、ステップ９０６で信号処理回路１７１から放射線源を制御するコントローラに送信される。コントローラは、この照射停止時間に基づいて、放射線の照射を停止する。本実施形態において、放射線撮像装置１００の信号処理回路１７１によって、放射線源の制御が行われるが、これに限られるものではない。放射線撮像装置１００から、照射停止の時間の算出と出力を行わず、例えばモニタする放射線情報を出力し、停止判断は放射線を照射する管球及び管球を制御する制御回路で行っても構わない。
【００３６】
次に、図１０を用いて、図９のステップ９０２からステップ９０５で行われる放射線撮像装置の動作を説明する。図１０は、本実施形態における放射線撮像装置の放射線照射中に制御部１０４が制御する動作を示すタイミングチャートである。なお、図１０では、補正用画素１０８が放射線に対する感度を実質的にもたないものを用いて説明する。
【００３７】
まず、制御信号ΦＲがハイレベルにされてリセットスイッチＲがＯＮとなり、検出信号線１０４及び補正信号線１０３がリセットされる。制御信号ΦＲがローレベルにされてリセットスイッチＲがＯＦＦになった瞬間から、検出信号線１０４及び補正信号線１０３からの出力がクロストークによって変化し始める。次に、放射線照射初期の第１の期間に、検出制御配線１１６の駆動信号ΦＶｄの電位をローレベルのまま検出用画素１０１及び補正用画素１０８（のスイッチ素子）をオンさせずに、制御信号ΦＳ／Ｈをローレベルからハイレベルになった後に再びローレベルとする。これにより、各サンプルホールド回路Ｓ／Ｈのサンプリングによって、読出し回路１７０は検出信号線１０４及び補正信号線１０３にそれぞれ現れるクロストーク成分の信号の読出しを行う。このリセット及びサンプリングの一組である第１動作が、１回、または、複数回繰り返される。そして、読出し回路１７０は、検出信号線１０４のクロストーク成分の信号ＣＴ１（第１の信号）を、及び、補正信号線１０３のクロストーク成分の信号ＣＴ２（第２の信号）を、１回又は複数回読み出す。
【００３８】
次に、放射線照射中の第１の期間の後の第２の期間において、制御信号ΦＲがハイレベルにされてリセットスイッチＲがＯＮとなり、検出信号線１０４及び補正信号線１０３がリセットされる。制御信号ΦＲがローレベルにされてリセットスイッチＲがＯＦＦになった瞬間から、検出信号線１０４及び補正信号線１０３からの出力がクロストークによって変化し始める。その後、検出制御配線１１６の駆動信号ΦＶｄの電位をローレベルからハイレベルにして検出用画素１０１及び補正用画素１０８（のスイッチ素子）を少なくともオンさせた後に検出信号線１０４及び補正信号線１０３に現れる信号のサンプリングを行う。第２の期間において、このリセットとサンプリングとの一組である第２動作を繰り返す。これにより、読出し回路１７０は、検出信号線１０４に現れる検出用画素１０１からの放射線成分の信号とクロストーク成分の信号を含む信号Ｓ１（第３の信号）を１回又は複数回読み出す。また、読出し回路１７０は、補正信号線１０３に現れる補正用画素１０８からの放射線成分の信号とクロストーク成分の信号を含む信号Ｓ２（第４の信号）を１回又は複数回読み出す。なお、図１０に示す例では、補正用画素１０８が放射線に対する感度を実質的にもたないため、信号Ｓ２には、補正用画素１０８からの放射線成分の信号が実質的に含まれない。なお、第２の動作において、リセットとサンプリングが各画素のスイッチ素子のオン中に行われてもよい。また、第２の期間中、各画素のスイッチ素子がオン状態で維持されていてもよい。
【００３９】
情報処理回路１８０は、信号ＣＴ１、信号ＣＴ２、信号Ｓ１、及び、信号Ｓ２に基づいて、放射線の照射に関する情報を生成する処理を行う。ここで、情報勝利回路１８０は、信号ＣＴ１と信号ＣＴ２と信号Ｓ２に基づいて、信号Ｓ１を補正して、放射線の照射に関する情報を生成する処理を行う。信号Ｓ１の補正は、情報処理回路１８０により信号ＣＴ１と信号ＣＴ２の比率が算出され、当該比率に基づいて信号Ｓ２が補正され、信号Ｓ１と補正された信号Ｓ２とを差分処理することによりなされ得る。即ち、当該補正された信号Ｓは、以下の式（１）を用いて得られる。
Ｓ＝Ｓ１−Ｓ２＊（ＣＴ１／ＣＴ２）  ・・・（１）
【００４０】
また、信号Ｓ１の補正は、情報処理回路１８０により信号ＣＴ１と信号ＣＴ２の差分が算出され、当該差分に基づいて信号Ｓ２が補正され、信号Ｓ１と補正された信号Ｓ２とを差分処理することによりなされ得る。即ち、当該補正された信号Ｓは、以下の式（２）を用いて得られる。
Ｓ＝Ｓ１−（Ｓ２−（ＣＴ１−ＣＴ２））  ・・・（２）
【００４１】
ただし、式（２）を用いた補正を行うには、単位時間当たりの放射線の照射量が安定した状態でなければならない。即ち、第１動作における単位時間当たりの放射線の照射量と、第２動作における単位時間当たりの放射線の照射量と、が略等しい状態であれば、式（２）を用いた補正が可能となる。このように式（２）を用いた補正を行うとき、ダーク電流やオフセットレベルなども含めた信号の差分を補正値として用いることができるため、第２の期間においてダーク電流やオフセットレベルなども減算することが可能である。
【００４２】
このように、撮影毎に検出信号線１０４と補正信号線１０３のクロストーク成分の関係を取得することで、様々な撮影で補正の精度を向上させることが可能となる。なお、第１の期間は、早く放射線の照射に関する情報の生成を始めるために、放射線照射開始直後から第２の期間の開始の間で行われることが好ましい。但し、放射線照射中のいずれかのタイミングで第１の期間を行い、そこで得られた信号から、第１の期間の前に第２の期間を設けた場合であっても得られた出力も補正を行えば、本実施形態の効果を得ることは可能である。
【００４３】
なお、図１０では、補正用画素１０８が放射線に対する感度を実質的にもたないものを用いて説明したが、本発明はそれに限定されるものではなく、図１１に示すように、補正用画素１０８が放射線に対する感度を有するものを用いても行うことが可能である。なお、図１１は、補正用画素１０８として、検出用画素１０１よりも低い感度を有するものを用いた例である。
【００４４】
また、図１０では、複数回行われる第１の動作の動作周期と、複数回行われる第２の動作の動作周期と、が等しいものを用いて説明したが、本発明はそれに限定されるものではない。図１２に示すように、複数回行われる第１動作の動作周期が複数回行われる第２の動作の動作周期より短い、即ち、第１の動作を第２の動作よりも高速で行うことも可能である。そのような場合、図１０の例に比べて単位時間あたりにより多くのサンプリングを行うことができ、補正の精度をより向上させることが可能となる。また、この場合であっても、クロストーク成分の単位時間当たりの量が等しいため、式（１）はそのまま適用することが可能である。また、式（２）であっても、それぞれの動作周期の比率を信号ＣＴ１と信号ＣＴ２の差分に乗じれば、補正を行うことが可能である。また、事前に複数の異なるサンプリング間隔で取得しておき、その違いを校正データとして用いて補正してもよい。
【００４５】
以上、本発明に係る実施形態を示したが、上述した各実施形態は適宜変更、組み合わせが可能である。また当業者が想定容易と考えられる設計事項については詳細に記載しておらず、本発明は本実施形態に限定されるものではない。例えば、変換素子やシンチレータ、ＴＦＴが異なる材料や構成であっても構わないし、放射線を直接検出する変換素子であってもよい。また、図３（ｄ）に示す補正用画素１０８、図６（ｂ）に示す画素１３２において、光電変換素子１２３、１２３ａの全面を遮蔽する構成を示した。しかしながら検出用画素１０１と補正用画素１０８との間、又は画素１３１と画素１３２との間で、放射線と電気信号との間の変換の感度に差があればよく、例えば光電変換素子１２３、１２３ａの上部に、開口部を設け、一部の光が変換素子に届くようにしてもよい。また、例えば検出用画素１０１及び補正用画素１０８から信号が出力される検出信号線１０４及び補正信号線１０３の何れか一方が、画素１０２の変換素子から信号が出力される画像信号線と兼用された兼用信号線であってもよい。
【００４６】
以下、図１３を参照しながら本発明の放射線撮像装置１００が組み込まれた放射線撮像システムを例示的に説明する。放射線源であるＸ線チューブ６０５０で発生したＸ線６０６０は、患者又は被験者６０６１の胸部６０６２を透過し、本発明の放射線撮像装置１００に入射する。この入射したＸ線に患者又は被験者６０６１の体内部の情報が含まれる。放射線撮像装置１００において、Ｘ線６０６０の入射に対応してシンチレータが発光し、これが光電変換素子で光電変換され、電気的情報を得る。この情報は、デジタルに変換され信号処理部としてのイメージプロセッサ６０７０によって画像処理され、制御室の表示部としてのディスプレイ６０８０で観察できる。また、この情報は、電話回線６０９０などの伝送処理部によって遠隔地へ転送できる。これによって別の場所のドクタールームなどの表示部であるディスプレイ６０８１に表示し、遠隔地の医師が診断することも可能である。また、この情報は、光ディスクなどの記録媒体に記録することができ、またフィルムプロセッサ６１００によって記録媒体となるフィルム６１１０に記録することもできる。なお、Ｘ線チューブ６０５０は、本発明の放射線撮像装置が有する情報処理回路で生成された放射線の照射に関する情報に基づいて、放射線の照射を停止する制御が行われ得る。
【符号の説明】
【００４７】
１００  放射線撮像装置
１０１  検出用画素
１０２、１１０  画素
１０３  補正信号線
１０４  検出信号線
１０８  補正用画素
１７０  読出し回路
１８０  情報処理回路
【図１】
2018117248.tif 000003
【図２】
2018117248.tif 000004
【図３】
2018117248.tif 000005
【図４】
2018117248.tif 000006
【図５】
2018117248.tif 000007
【図６】
2018117248.tif 000008
【図７】
2018117248.tif 000009
【図８】
2018117248.tif 000010
【図９】
2018117248.tif 000011
【図１０】
2018117248.tif 000012
【図１１】
2018117248.tif 000013
【図１２】
2018117248.tif 000014
【図１３】
2018117248.tif 000015